(57)【特許請求の範囲】
【請求項１】
天板の平面形状を、正面から見て向う側の辺と手前側の辺が緩やかな円弧状乃至はその円弧の半径と同等乃至は近似した半径の多角形の辺をなすように形成する一方、該天板下面において、当該天板の長手方向の左右両側にそれぞれほぼ柱状の１本脚を設けると共に、該天板の裏面におけるセンターに、１本のセンター脚支柱を垂下させて設け、かつ、該支柱の下端部に天板の前後に伸びた水平な足を設けて側面から見てほぼ逆Ｔ状をなす脚を設けることにより、各脚の接地点が天板下面内側の左右両側部と略中央の前後部に形成されるようにしたことを特徴とするテーブル。
【請求項２】
天板の向う側の辺と手前側の辺は、該天板の長手方向における中心線に関しほぼ対称形をなすように形成した請求項１のテーブル。
【請求項３】
天板を脚に対して折畳み構造に形成した請求項１又は２のテーブル。
【請求項４】
テーブルの脚はキャスタ等による移動手段を具備した請求項１〜３のいずれかのテーブル。
【請求項５】
請求項１〜４のいずれかのテーブルは、少なくとも３台を環状に並べたとき並べた天板全体の外形がほぼ円形をなすように、天板の辺を形成した請求項１〜４のいずれかのテーブル。
【請求項６】
環状に並べた３台のテーブルの２組を並べて配置するとき、１台のテーブルを共用するように配置した請求項５のテーブル。
【請求項７】
請求項１〜４におけるいずれかのテーブルの複数台を、円形乃至は多角形の天板であって前記複数台のテーブルの天板より上位に位置する高さの天板を具備したコアテーブルの周囲に配置して使用するようにした請求項１〜４のいずれかのテーブル。
【発明の詳細な説明】
【０００１】
【発明の属する技術分野】
本発明は平面から見てほぼレモン或はラグビーボールの平面投影形状をなす天板を具備したテーブルであって、単独で使用できることは勿論、コアとなるテーブルの周囲に集合させて使用することにより、いわゆるコラボレーション（Collaboration）形態での業務に使用して有用なテーブルに関する。
【０００２】
【従来の技術】
最近のオフィスにおける執務環境は、急速なＯＡ化の進展やパソコン等を使用した情報交換手段の拡張に伴い、従来型のデスクや椅子を室内に固定的に配置した形態や、テーブルや椅子を固定的に配置した会議室などでの執務形態や業務形態に大きな変化が現れるようになった。
【０００３】
その典型例としては、複数のメンバーによりある業務（テーマ）を遂行する場合、当該メンバーが常に一緒の場所に居て一台の大形テーブルに着いて討議をしたり、個々の作業を行うのではなく、メンバー全員が集合してテーマに関する情報等を検討するときには、一堂に会し、個々人が分担する作業については、各人がそれぞれの作業スペースにおいて執務を行うという、いわゆるコラボレーション（Collaboration、共同作業）といわれる形態での業務遂行がその一つである。
【０００４】
上記のような業務遂行の形態を採る場合、既存のオフィス家具を利用すると、例えば各メンバーがパーソナルユースのテーブルを一箇所に持寄ったり、会議室や打合せコーナーを使ってメンバー全員で情報の交換や討議などを行い、個々のメンバーの分担業務は、各人の個人用デスク等に資料等を持返って業務を行うといった形態となる。
【０００５】
しかし、上記のような業務形態では、パーソナルユースのテーブルを夫々に持ち寄って形成される各テーブルの天板によるスペースは、個々のテーブルの天板スペースでしかないため、例えば全員で見なければならない資料などの開示などをするための共通スペースが造れないという問題がある。この点は、従来タイプの会議室を利用した場合においても、ほぼ同様である。
【０００６】
また、個々人が持ち寄るパーソナルユースのテーブルは、元来、個人使用のために設計，デザインされているため、これを集合してもメンバー全員が互に向き合った形、例えば、環状になるようにテーブルを配置するには、余計な配置スペースを必要とすることとなり、この面での合理性に欠ける。また、パーソナルユースのテーブルはもともと一人用であるため、一つのテーブルを使って少人数とはいえ、複数の者がそのテーブルに着いて打合せ等を行うには、テーブルの形体、或は、天板スペースから見ても不向きでもある。
【０００７】
【発明が解決しようとする課題】
本発明は、上記のようないわゆるコラボレーション形態でのオフィスワークに対応できていない現状のオフィス家具に鑑み、様々な配列態様を採ることを可能とすることにより、特に、種々な形態をとるコラボレーション形態でのオフィスワークに対応することができることは勿論、従来型のパーソナルユースのテーブルとしても利用できるテーブルを提供することを、その課題とする。
【０００８】
【課題を解決するための手段】
上記課題を解決することを目的としてなされた本発明テーブルの構成は、天板の平面形状を、正面から見て向う側の辺と手前側の辺が緩やかな円弧状乃至はその円弧の半径と同等乃至は近似した半径の多角形の辺をなすように形成する一方、該天板下面において、当該天板の長手方向の左右両側にそれぞれほぼ柱状の１本脚を設けると共に、該天板の裏面におけるセンターに、１本のセンター脚支柱を垂下させて設け、かつ、該支柱の下端部に天板の前後に伸びた水平な足を設けて側面から見てほぼ逆Ｔ状をなす脚を設けることにより、各脚の接地点が天板下面内側の左右両側部と略中央の前後部に形成されるようにしたことを特徴とするものである。
【０００９】
上記の本発明テーブルでは、その天板の向う側の辺と手前側の辺は、該天板の長手方向における中心線に関しほぼ対称形をなすように形成したので、例えばその３台を環状に並べたとき天板全体の外形がほぼ円形をなす配線形態をとることができ、また、上記の環状に並べた３台のテーブルの２組を並べて配置するとき、一台のテーブルを中心部で共用した天板全体として長円形をなす配置形態をとることができるので、種々の形態をとるコラボレーション形態の業務に好適である。
【００１０】
更に、本発明テーブルは、円形乃至は円形に近い形状の天板であって前記本発明テーブルの天板よりも高さが高い天板を具備したテーブルをコアテーブルとして配置し、このコアテーブルの周囲に、例えば環状をなすように配置することにより、コラボレーション形態での業務逐行に適したテーブルシステムとして利用することが可能になる。
【００１１】
上記における本発明の各テーブル、並びに、コアテーブルは、本発明テーブル同士、或は、コアテーブルを中心にした本発明テーブルを、互に隣合せて配置しても、各テーブルの脚同士が干渉することがないように、すべての脚は天板の平面投影形状内に収まる形態、並びに、設置位置により設けられている。しかも、夫々のテーブルの移動を容易にするため、各テーブルの脚の下端にはキャスタ等による移動手段を具備させている。
【００１２】
ここで、本発明テーブルとコアテーブルとの関係において、コアテーブルの天板の直径、並びに、本発明テーブルの天板の大きさと平面形状は、両テーブルの組合せ使用の形態に鑑み、適切に設定する。このとき、コアテーブルの天板の高さは、本発明テーブルの天板より高く形成して、本発明テーブルの天板との干渉を避けると共に、両天板の上下間に余り隙間が生じない高さに形成することが望ましい。なお、本発明テーブルは、その天板を脚に対し折畳み構造を介して取付けることにより、不使用時の格納などにおけるスペース性を高めている。
【００１３】
上記のような具体的な態様例に鑑みると、本発明テーブルは、その天板の平面形状を、左右方向の向う側と手前側の辺が緩やかな円弧状乃至はその円弧の半径と同じか近似した半径の多角形の辺をなし、かつ、天板の長手方向の中心線に関して対称となるように形成すると共に、前記半径を、コアテーブルとして組合せるテーブルの天板の半径よりも大きな半径となるように形成すると、コアテーブルの周囲に本発明テーブルを環状に配置するとき、本発明テーブルに方向性がないので、どちらの辺をコアテーブルに対向させてもよく、また、このようにして配置した本発明テーブルは、コアテーブルと一体になって、あたかも大きな一枚天板のテーブルのように使用できるので、使い勝手が良好になる。即ち、コアテーブルとその周囲に配置される複数台の本発明テーブルとは同心上で、あたかも形体的に一体化したようになり、使い易いことは勿論、見た目にもスマートになる。
【００１４】
【発明の実施の形態】
次に、本発明の実施の形態例について図を引用して説明するが、この説明に先立ち、各図の説明をする。図１〜図４は本発明テーブルの一例を示す図で、図１は本発明テーブルの一例の右半側を断面にした平面図、図２は図１のテーブルの正面図、図３は図１のテーブルの右側面図、図４は図１のテーブルの天板を折畳んだ状態の右側面図、図５〜図７は本発明テーブルに対してコアテーブルとして使用できるテーブルの一例を示す図で、図５はコアテーブルの一例の右半側を断面にした平面図、図６は図５のテーブルの正面図、図７は図５のテーブルの右側面図、図８は本発明テーブルを単独で使用する状態の一例を示す図、図９は本発明テーブルと、図５〜図７に示したコアテーブルとの組合せにおいて、天板の高さ関係を説明するための側面図、図10〜図14は、図１〜図９に示したコアテーブルと本発明テーブルを組合せて使用する状態の第一例から第五例を説明するための平面図、図15は本発明テーブルと別のコアテーブルの組合せ使用状態の例を示す平面図である。
【００１５】
本発明では、従来のパーソナルユーステーブルとして使用できることは勿論、コラボレーション形態の業務などにおいて後述するコアとなるテーブルと組合せて使用して有用なテーブルを、一例として次のように構成した。以下、図１〜図４により本発明テーブルＡの構成例について説明する。図１〜図４に例示した本発明テーブルＡにおいて、11は平面からみてほぼレモン或はラグビーボールの平面投影形状をなす天板で、ここでは図１における天板11の上，下辺11a，11bが、後に述べるコアテーブルＢの天板21の半径よりも大きな半径の凸状に膨出した弯曲辺に形成され、かつ、両辺11a，11bは平面から見て対称乃至はほぼ対称形をなすように形成されている。なお、天板11の上，下辺11a，11bは、その曲率に沿うものであれば、多角形の辺状に形成したものでもよく、天板11の左右エンドを、直線的にカットした形状のものでもよい。また、上，下辺11a，11bの曲率は、その曲率を中心に、天板11を少なくとも３枚、或は、４枚以上環状に並べたとき、各天板11がなす外形が略円形になるものであればよい、
【００１６】
12は前記天板11において、その裏面の長さ方向（図１の左右）に配置して取付けた横フレームで、図示した例ではこのフレーム12の左右の側端であって天板の裏面内に、当該天板11を起伏機構（天板11を水平，垂直にする折畳み機構）12a，12bを具備すると共に、該機構12a，12bにヒンジを介して連結されたほぼ柱状をなす左右の１本脚13，14が設けられている。15は前記横フレーム22の略中央部位、即ち、天板１の裏面のセンターから垂下させて設けたセンター脚支柱で、該センター脚支柱15の下端には、図１の天板１の前後方向に延びた水平な足16，17が設けられ、側面から見てほぼ逆Ｔ字状をなすセンター脚に形成されている。左，右の１本脚13，14の下端と天板11の中央のセンター脚における足16，17の外側端には、自在キャスタ13a，14a，16a，17aが設けられている。自在キャスタに代え、ボールキャスタやスライダなどを移動手段として設けてもよい。
【００１７】
18は左，右の１本脚13，14とセンター脚支柱15とを、それらの上部において結合する梁状の結合部材、19は天板の折畳，組立て用の操作軸で、横フレーム12と平行に設けられて起伏機構12a，12bに結合されており、以上の天板１から操作軸19までの各部材は、すべて天板11の天面投影形状の内側に位置付けられており、これにより、本発明テーブルＡの一例が形成される。ここで、天板11の裏面に取付けられた横フレーム12、或は、該フレーム12と一体の起伏機構12a，12bから、当該天板11の強度を補完するための補強フレーム（図示せず）を延設することもある。なお、本発明テーブルＡの天板11の高さは、次に説明するコアテーブルＢの天板21の下面に対し、余り隙間を作らずその天板21の下面に進入できる高さに予め設定されている。
【００１８】
上述の本発明テーブルＡの複数台と組合せることによりコラボレーション用のテーブルシステムを構成するために使用されるコアテーブルＢは、図５〜図７により説明する次の構成を具備している。21はこのテーブルＡにおける円形の天板で、その下面の３箇所が120°ピッチで配置される３本の脚22，23，24により支持されている。各脚22〜24は、下端に移動手段の一例として自在キャスタ22a，23a，24aを具備すると共に、各脚22，23，24の間が、図の例では天板21の中心側に向って凹陥弯曲した凹面に形成した、一例としてパンチングメタル製のガード部材25，26，27により連結されている。なお、ガード部材25〜27の弯曲の半径は、コアテーブルＢの天板21の半径よりも大きな半径、具体的には上記の本発明テーブルＡにおける天板11の辺11a又は11bの半径とほぼ同径に形成されている。また、天板21の下面においては、前記ガード部材25〜27に囲まれた内部側には、天板21の上などで使用するパソコン等の電源線や通信線（図示せず）などの余長部分を収容処理するワイヤリング用の２枚の棚板28，29が設けられている。28aは配線挿通のため棚板28に形成した切欠である。この切欠は穴でもよい。また、図に表われないが、棚板29にも配線挿通用の切欠又は穴が設けられている。
【００１９】
上記コアテーブルＢの天板21においては、この天板21の上面をその外周形状に沿った内側の全面を適宜凹陥した平面21aに形成すると共に該凹陥平面21aの中に、中心に回転軸20を凸出形成した薄い円板状の回転体（図示せず）を配置し、この回転体の上に、前記軸20にその中心穴（図示せず）が挿入される平面円形状のいわゆるホワイトボード21bを載置することにより、コアテーブルＢを使用する複数の者が該テーブルＢの周囲から前記ホワイトボード21bを自由に回転させて使用できるように形成されている。21cはこのボード21bを回転させるための手掛かり穴である。ここで、前記ホワイトボード21bは、その裏面を通常の化粧ボード仕様に形成しており、従って、当該ボード21bの表裏を反転させて天板21の上で使用したり、或は、天板21から取外して前記手掛かり穴21cを適宜立壁面の掛具等に引掛けて吊下げ、立面タイプのホワイトボードやピンナップボードなどとして利用することもできる。なお、上記ホワイトボード21bは、図示しないが、平板状に形成された天板21の上に、直接、回転可能に配設する形態で設けてもよい。この場合、天板21と前記ボード21bにおいて、回転軸とその軸に挿入される穴は、両部材21，21bに相対的に形成されていれば足りる。
【００２０】
上記のコアテーブルＢの天板21は上記例の円形に限られるものではなく、例えば円に近い半径の六角形や八角形などの多角形であってもよい。また、脚22〜24も、上記例では３本であるが４本以上設けることも可能である。ここで、ガード部材25〜27が凹状に弯曲しているのは、本発明テーブルＡとの干渉を避けるためであるが、ガード部材25〜27が本発明テーブルＡの天板11の辺11aと同等の半径で凹状に弯曲形成されていると、使用者は上記ガード部材25〜27に沿って本発明テーブルＡを配置できることを視覚的に把握できる利点があるから、コアテーブルＢと本発明テーブルとの様々な態様での組合せ配置をスムーズに行う上で、効果的である。なお、ガード部材25〜27はコアテーブルＢに必らず設けなければならない部材ではない。また、移動手段は自在キャスタ22a〜24a以外のもの、例えばボールキャスタやスライダ（滑り子）などの場合もある。
【００２１】
上記の本発明テーブルＡとコアテーブルＢは、本発明テーブルＡの天板11の平面形状、並びに、その高さ（コアテーブルＢの天板21よりも低い）、及び、天板11の下面の内側に収まった左右の１本の脚13，14とセンター脚支柱15の下部に設けた足16，17の配置形態（具体的には、天板11の下面内に収まって平面から見て各脚13，14と足16，17の接地点が略十字状をなす配置）と、コアテーブルＢの３本の脚22〜24の配置形態によって、図10に例示するように、１台のコアテーブルＢを中心にして、その周囲に３台の本発明テーブルＡを環状に並べると、各テーブルＡ，Ｂの天板11，21、並びに、各脚13，14、22〜24と足16，17が互に干渉することなく、あたかも３台の本発明テーブルＡの天板11が形成する略環状をなす３枚の天板１の中心に、コアテーブルＢの天板21が一段高くなって位置した、いわば一台の会議テーブルや打合せテーブルのような形態が創成される。
【００２２】
上記の２種類のテーブルＡ，Ｂは、夫々の天板11，21の高さ違いと形状違い、並びに、天板11，21を支える脚13，14、足16，17、並びに脚22〜24の配置形態などによって、図９〜図14に例示する配置態様例により、本発明テーブルＡをコアテーブルＢに対して配設することができる。そして、これらのテーブルＡとＢは、各天板11，21，31の高さ違いのほか、夫々の天板11，21を支える夫々の脚の配設形態によって、本発明テーブルＡをコアテーブルＢの周囲に配置しても、各構成部材が互に干渉することなく、図９〜図14に例示するような各天板11，21の上下関係、並びに、これらの天板11，21を支えた夫々の脚同士の関係において、互に干渉することなく配置できる。
【００２３】
上記のように、本発明テーブルＡは、図10〜図14に例示したような平面配置形態に展開し、夫々の配置状態において、様々な業務や作業などに利用することができるので、以下に図８及び図10〜図14により本発明テーブルＡの利用形態例について説明する。
図８は本発明テーブルＡを１台利用して３名のメンバーM1〜M3による打合せなどを行う場合を例示した平面図である。この図８に示した例では、本発明テーブルＡが長さ方向の中心線に関し略対称な略レモン状をなす平面形状の天板11を持ち、かつ、この天板下面の内側において、垂下して設けられた左右側の脚13，14とセンター脚支柱15の下端に設けた足16，17が、３名の着席メンバーM1〜M3の夫々の脚に干渉することがないように、天板下面の内側において、左右側端と中央部とに設けられているので、図８に示す着席形態を実現できる。また、天板11は、その上，下辺11a，11bが対称的に形成されているので、着席使に方向性がなく、使い勝手が良い。
【００２４】
図10は、３台の本発明テーブルＡと１台のコアテーブルＢを用いて形成したテーブルシステムの第一例の使用態様を示す模式的平面図で、この図では、中心に位置したコアテーブルＢの天板21の周囲に、３台の本発明テーブルＡが略120度間隔で並べられることにより、各テーブルＡの天板11の辺11a、並びに、脚13，14と足16，17とが、コアテーブルＢにおける天板21や３本の脚22，23，24、並びに、ガード部材25，26，27のいずれとも干渉することなく配置できる。また、本発明テーブルＡの天板11の対称性ゆえに、コアテーブルＢに対して方向性なく配置できるので、配置し易い。
【００２５】
このレイアウトにおいて、三名のメンバーM1〜M3はそれぞれコアテーブルＢの天板11に十分に手が届くので、当該コアテーブルＢの天板21の上に共通資料等を置き、夫々の本発明テーブルＡに着いた３名のメンバーM1，M2，M3がコアテーブルＢの天板21の上の資料を互に扱ったり、見たりしながら、夫々が着席している本発明テーブルＡの天板11の上で、自分のパソコンなどに記録したりノートに記帳するなど、必要な作業を行うことができる。また、天板21には、回転可能なホワイトボード21bが設けられているので、各メンバーM1〜M3は、当該ボード21bを、その穴21cに指を掛けて回転させてその向きを自由に変え、ここでの打合せなどに必要な内容（テーマなど）をこのボード21bに描いたり、このボード21bを天板21から取外してその手掛かり穴21cにおいて壁面に吊下して使用することにより、共同作業や打合せなどに入るといった作業態様を採ることができる。
【００２６】
図11は、図10に示したレイアウト例と同じ１台のコアテーブルＢと３台の本発明テーブルＡを使用するが、各本発明テーブルＡの配置態様を、各天板11における上辺11aの右半側をコアテーブルＢの天板21の下に位置付けた形態としたテーブルシステムのレイアウト例を示す。この配列の場合においても、図10のレイアウト例と同様のメリット、つまり、構成部材同士の干渉や配置の方向性がないという利点は活かすことができる。
【００２７】
コアテーブルＢに対して図11のような本発明テーブルＡの配置形態を採ると、３名のメンバーM1〜M3は、図10の例に比べ、よりコアテーブルＢに近い位置に着くことができると共に、各メンバーM1〜M3の両脇に位置した２台の本発明テーブルＡ，Ａの天板11，11の一部も自分用のスペースとして利用することができる。各テーブルＡのコアテーブルＢに対する偏位レイアウトは、図11の場合とは逆向きにすることもできる。
【００２８】
図12は、図10と同じレイアウトに配置した本発明テーブルシステムを、６人のメンバーM1〜M6により使用できるテーブルシステムの例を示したものである。図12のレイアウト並びにメンバーの配置においても、６名の各メンバーM1〜M6は、コアテーブルＢの天板21、並びに、その上のホワイトボード21bに余裕を以て手が届くので、図14に示した例の場合と同様の共同作業などを行うことができる。図12に示すメンバーM1〜M6の着席態様を採っても、本発明テーブルＡにおける脚13，14、足16，17の配設位置により、各メンバーM1〜M6が席に着きにくくなるといった弊はない。
【００２９】
上記のように、本発明テーブルＡとコアテーブルＢを利用したテーブルシステムでは、同じレイアウトのテーブルＡ，Ｂの配置により、３名〜６名までの人員（メンバー）が、中心に位置したコアテーブルＢの天板21を利用し乍ら、その周りに環状に配置した３台の本発明テーブルＡにおける各天板11の上で所要の作業などを行うことができる。これは、本発明テーブルＡの天板11の平面形状が略レモン状乃至はラグビーボールの平面投影形状をなしているので、これをコアテーブルＢの周囲に環状に配置すると、環状に並べた３台の本発明テーブルＡの天板11があたかも一枚の環状天板のような形態となること、並びに、各天板11を支えている脚13，14、センター脚支柱15とその足16，17が各天板11において互に干渉せず、かつ、各着席者の脚の邪魔にもなり難いからである。
【００３０】
なお、本発明テーブルＡの天板11の上、或は、コアテーブルＢの天板21の上でパソコン等のＯＡ機器、或は、各種のレコーダ等を使用する場合、それらの電源用，通信用の配線は、床などから切欠18aを経由するなどしてコアテーブルＢの棚18，19の上に引込み、ガード部材25〜27と天板21の間の隙間から天板21の上に引出して使用する。ここで、前記ガード部材25〜27のうち、少なくとも１枚はコアテーブルＢのガード部材25〜27の支持部、例えば、脚22〜24に対して着脱自在又は開閉自在に設け、前記棚18又は19に載置されることがあるサーバ等の機器類の出入れやメンテナンスが行い易いように形成されているものとする。
【００３１】
図13は、図10，図12に例示したテーブルシステムの２組を、１台の本発明テーブルＡを、中心部位で共有する形態により、並列配置したテーブルシステムの例を示す平面図である。このレイアウトを採ると、２台のコアテーブルＢ，Ｂを２つの中心とする略長円形をなす４台の本発明テーブルＡの配置例を実現できる。このレイアウト例においては、２台のコアテーブルＢ，Ｂの間に位置した共用テーブルＡの天板11が、２台のコアテーブルＢ，Ｂの間に生じる隙間を埋める作用をする。このレイアウトにおいても、本発明テーブルＡの天板11の平面形状、並びに、各天板11を支える脚13，14、足16，17が、各テーブルＡ同士、及び、コアテーブルＢとの関係、並びに、各着席者の脚との関係で干渉などの問題がないことは、先の例と同様である。
【００３２】
図14は、１台のコアテーブルＢを中心位置に配し、このテーブルＢの両側に、３台の本発明テーブルＡを平面から見て円弧状をなすように展開した状態にレイアウトしたテーブルシステムの例である。このレイアウトでは、各テーブルＡの天板11の前方側（上辺11aの側）に位置したホワイトボードやスクリーン等の表示物（図に表れず）に向って、各人M1〜M6が対面的に位置できる。
【００３３】
以上の各例において、本発明テーブルＡは、その天板11の辺11a，11bの曲率を変えたり、左右長を調節することにより、４台以上を環状に並べたとき並べた天板の外周形が略円形となるように、各天板11の大きさ，形状を変更することができる。この場合、コアテーブルＢは、周囲に並べられるテーブルＡと干渉しないように、その天板の直径や脚22〜の本数、位置を調節する。
【００３４】
また、上述の各実施例において図示したコアテーブルＢにおける天板21の平面形状は円形のものであったが、本発明テーブルと組合せるコアテーブルＢの天板21の平面形状としては、図15に例示するように、略三角形状の天板21を有するコアテーブルＢを用いても、以上に述べた本発明テーブルＡと組合せた使用状態における効果は、同等である。勿論、コアテーブルＢの天板21の平面形状は、上記に例示した円形状や三角形状のものに限られるものではなく、長円に近い異形円形状や他の多角形状であっても、コアテーブルＢの天板21として使用することができる。
【００３５】
【発明の効果】
本発明は以上の通りであって、天板の平面形状を、正面から見て向う側の辺と手前側の辺が緩やかな円弧状乃至はその円弧の半径と同等乃至は近似した半径の多角形の辺をなすように形成する一方、該天板下面において、当該天板の長手方向の左右両側にそれぞれほぼ柱状の１本脚を設けると共に、該天板の裏面におけるセンターに、１本のセンター脚支柱を垂下させて設け、かつ、該支柱の下端部に天板の前後に伸びた水平な足を設けて側面から見てほぼ逆Ｔ状をなす脚を設けることにより、各脚の接地点が天板の左右両側部と略中央の前後部に形成されるようにしてテーブルに形成したので、前記テーブルより高い円形ないしはそれに近い天板を有するコアとなるテーブルを中心に置き、その周囲に本発明テーブルを環状をなすように並べると、前記コアとなるテーブルと形体的に一体化され、全体として大きな円形天板と同等形状のテーブルを形成することができる。
【００３６】
また、本発明テーブルは、その天板形状を平面から見てほぼレモンの平面投影形状をなす対称形に形成したので、異形天板であってもテーブルの向きに方向性がなく、また、天板を支持する脚を、天板の下面の内側に収まり、かつ、左右の柱状１本脚と天板中央のセンター脚支柱の下端に設けた前後の足により接地点が平面略十字状をなすように配設したので、テーブル同士を当接しても、脚，足同士が互に干渉することはなく、従って、コラボレーション形態の業務に対応するための様々なレイアウトに問題なく対応できる利点がある。
【００３７】
更に、本発明テーブルは、単独でも使用できるので、複数の担当者が集合して共同作業をしたり、時には分散して個々の作業等を行うといった、いわゆるコラボレーション形態で逐行されるオフィス業務にきわめて好適なテーブルである。
【００３８】
しかも、本発明テーブルは天板の平面形状が略レモン状で、上，下両辺が対称形状であることにより、コアテーブルに対してどちらの辺を対向させて配置しても同じ配置形態が得られ、また、単独での使用においても方向性がないので、この面での使い勝手も優れている。
【図面の簡単な説明】
【図１】本発明テーブルの一例の右半側を断面にした平面図。
【図２】図１のテーブルの正面図。
【図３】図１のテーブルの右側面図。
【図４】図１のテーブルの天板を折畳んだ右側面図。
【図５】コアテーブルの一例の右半側を断面にした平面図。
【図６】図５のテーブルの正面図。
【図７】図５のテーブルの右側面図。
【図８】本発明テーブルを単独で使用する状態の一例を示す平面図。
【図９】本発明テーブルとコアテーブルを組合せにおいて天板の高さの関係を説明するための側面図。
【図１０】本発明テーブルとコアテーブルの組合せ使用状態の第一例を示す平面図。
【図１１】本発明テーブルとコアテーブルの組合せ使用状態の第二例を示す平面図。
【図１２】本発明テーブルとコアテーブルの組合せ使用状態の第三例を示す平面図。
【図１３】本発明テーブルとコアテーブルの組合せ使用状態の第四例を示す平面図。
【図１４】本発明テーブルとコアテーブルの組合せ使用状態の第五例を示す平面図。
【図１５】本発明テーブルと別のコアテーブルの組合せ使用状態の例を示す平面図。
【符号の説明】
Ａ            本発明テーブル
Ｂ            コアテーブル
11            テーブルＡの天板
12            横フレーム
13，14        １本脚
15            センター脚支柱
16，17        足
13a，14a，16a，17a  自在キャスタ
18            梁状結合部材
21            コアテーブルＢの天板
22，23，24    脚
22a，23a，24a  キャスタ
25，26，27    ガード部材
28，29        棚板
20            配線穴
21b           ホワイトボード
21c           手掛かり穴
M1〜M6        メンバー
【図１】
0003969977.tif 000002
【図２】
0003969977.tif 000003
【図３】
0003969977.tif 000004
【図４】
0003969977.tif 000005
【図５】
0003969977.tif 000006
【図６】
0003969977.tif 000007
【図７】
0003969977.tif 000008
【図８】
0003969977.tif 000009
【図９】
0003969977.tif 000010
【図１０】
0003969977.tif 000011
【図１１】
0003969977.tif 000012
【図１２】
0003969977.tif 000013
【図１３】
0003969977.tif 000014
【図１４】
0003969977.tif 000015
【図１５】
0003969977.tif 000016